(57)【要約】【課題】食器洗い機の、食器かごに配置収納する食器の形状、寸法、重量の制約をなくし食器をより多く配置収納して洗浄することができる。食器洗い機を実現する。【解決手段】食器を洗浄する洗浄水を噴射する洗浄ノズルを配した洗浄槽と、複数の条体より成り前記洗浄槽内に配置し食器を収容する食器かごとを備え、前記食器かごに設けた食器を支持する椀類用ピンは、前記条体に立設するとともに、先端部を前記椀類用ピンを立設した前記条体方向に折り曲げたことにより、食器形状の制約がなくなり、食器を効率良く配置収納し洗浄することができる。【選択図】図１
2005230403.tif 000002
【特許請求の範囲】
【請求項１】
食器を洗浄する洗浄水を噴射する洗浄ノズルを配した洗浄槽と、複数の条体より成り前記洗浄槽内に配置し食器を収容する食器かごとを備え、前記食器かごに設けた食器を支持する椀類用ピンは、前記条体に立設するとともに、先端部を前記椀類用ピンを立設した前記条体方向に折り曲げた食器洗い機。
【請求項２】
椀類用ピンの先端部を基部に向かって内側へ曲げて形成した請求項１記載の食器洗い機。
【請求項３】
椀類用ピンの基部を条体に対して傾斜させて立設した請求項１または請求項２記載の食器洗い機。
【発明の詳細な説明】
【技術分野】
【０００１】
本発明は洗浄ノズルより食器に向けて洗浄水を噴射して食器を洗浄する食器洗い機に関するものである。
【背景技術】
【０００２】
従来、この種の食器洗い機は図４及び図５に示すように構成していた（例えば、特許文献１参照）。
【０００３】
図４に示すように、洗浄槽１は、内部に洗浄水を噴射する洗浄ノズル２を回転自在に設けるとともに、食器３を収容する食器かご４を配置している。洗浄槽１内の洗浄水はヒータ５によって温水化され、洗浄ポンプ６にて排水口７から吸い込まれ、洗浄ノズル２に圧送される。洗浄ノズル２より勢いよく噴射される洗浄水によって、食器かご４の立てピンに配置収容された食器３を洗浄するように構成している。食器かご４は、図５に示すように条体４ｄに傾斜させて立設した真っ直ぐな椀類用ピン４ａに食器３を配置するように構成している。
【特許文献１】特開２００１−０４６３０７号公報
【発明の開示】
【発明が解決しようとする課題】
【０００４】
しかしながら、このような従来の食器洗い機では、椀類の食器３を食器かご４の椀類用ピン４ａに配置収納する場合、食器３の椀類の形状、寸法、重量に制約ができ、良好な洗浄が可能なように配置できないという問題を有していた。
【０００５】
本発明は、上記従来の課題を解決するもので、食器かごに収容する食器の椀類の形状、寸法、重量の制約をなくし、食器をより多く配置収容して良好な洗浄を可能とすることを目的としている。
【課題を解決するための手段】
【０００６】
前記従来の課題を解決するために、本発明の食器洗い機は、食器を洗浄する洗浄水を噴射する洗浄ノズルを配した洗浄槽と、複数の条体より成り前記洗浄槽内に配置し食器を収容する食器かごとを備え、前記食器かごに設けた食器を支持する椀類用ピンは、前記条体に立設するとともに、先端部を前記椀類用ピンを立設した前記条体方向に折り曲げたものである。
【０００７】
これにより、食器かごに配置収納する食器の形状、寸法、重量の制約をなくすことができ、良好な洗浄が可能なように食器を配置することができるものである。
【発明の効果】
【０００８】
本発明の食器洗い機は、食器かごに収容する食器の椀類の形状、寸法、重量の制約をなくし、食器をより多く配置収容して良好な洗浄を可能とする食器洗い機を実現することができる。
【発明を実施するための最良の形態】
【０００９】
第１の発明は、食器を洗浄する洗浄水を噴射する洗浄ノズルを配した洗浄槽と、複数の条体より成り前記洗浄槽内に配置し食器を収容する食器かごとを備え、前記食器かごに設けた食器を支持する椀類用ピンは、前記条体に立設するとともに、先端部を前記椀類用ピンを立設した前記条体方向に折り曲げたことにより、椀類の食器をくわえ込むことが可能な構造になるため、食器の後倒れや軽量食器の洗浄ノズルからの洗浄水による飛びがなくなり、また、丼等の大物の椀類も安定した状態で配置収納することができる。
【００１０】
第２の発明は、上記第１の発明において、椀類用ピンの先端部を基部に向かって内側へ曲げて形成したことにより、椀類の食器の特に椀部内面および外面を面で支持することができるので、椀類の食器の収納性、取り出し性を向上することができる。
【００１１】
第３の発明は、上記第１または第２の発明において、椀類用ピンの基部を条体に対して傾斜させて立設したことにより、より広い面で食器を支持することができ、食器の傷付きを低減することができる。
【００１２】
以下、本発明の実施の形態について、図面を参照しながら説明する。なお、従来例と同じ構成のものは同一符号を付して説明を省略する。また、この実施の形態によって本発明が限定されるものではない。
【００１３】
（実施の形態１）
図１は本発明の実施の形態１における食器洗い機の食器かごの説明図である。図１（ａ）において、食器かご４は、ステンレス等の金属製の複数の条体４ｄより成り、これらの条体４ｄの一部には椀類の食器３を支持して配置するための椀類用ピン４ａが、所定の位置に複数対、溶接等により立設されている。図１（ｂ）において、椀類用ピン４ａは先端部４ｂを溶接等で立設している条体４ｄの方向に略１８０°折り曲げてある。
【００１４】
椀類の食器３を食器かご４に配置した場合、食器３の開口縁部３ａを基部３ｃに当接させて支持し、隣の列の椀類用ピン４ａで食器３の椀部外面３ｂを支持して食器３を食器かご４に保持する。この際、食器３が丼等の大物の椀類の場合は、椀類用ピン４ａの先端部４ｂで食器３の椀部内面４ｃをくわえ込んで保持できるように構成してある。
【００１５】
以上のように、本実施の形態においては、椀類用ピン４ａの先端部４ｂを条体４ｄ方向に折り曲げることにより、食器３の椀部内面３ｃをくわえ込むことができるため、食器３の後倒れや軽量食器の洗浄ノズルの洗浄水による飛びがなくなり、特に、丼等の大物の椀類を安定に支持して良好な洗浄を可能とすることができる。
【００１６】
（実施の形態２）
図２は本発明の実施の形態２における食器洗い機の食器かごの説明図である。図２（ａ）、（ｂ）において、椀類用ピン４ａは、これを立設した条体４ｄ方向に折り曲げた先端部４ｂを実施の形態１より基部４ｃに向かってさらに内側へ曲げて形成してある。すなわち、椀類用ピン４ａの先端部４ｂを、立設している条体４ｄの方向へ１８０°より大きい角度で折り曲げて形成してある。他の構成は上記実施の形態１と同じである。
【００１７】
このような形状することにより、食器３の椀部外面３ｂを面で支持することができ、食器３をより安定に支持できるとともに、収納、取り出し性を向上させることができる。また、食器３が丼等の大物の椀類の場合は、収納、取り出しに際し、食器３の椀部内面３ｃが椀類用ピン４ａの先端部４ｂに擦れる確率が高くなるが、このような場合にも、食器３の傷付きを低減することもできる。
【００１８】
（実施の形態３）
図３は本発明の実施の形態３における食器洗い機の食器かごの説明図である。図３（ａ）、（ｂ）において、椀類用ピン４ａは、基部４ｃにおいて条体４ｄに対して傾斜させて立設してある。他の構成は上記実施の形態１および２と同じである。また、先端部４ｂの形状は実施の形態２と同じである。このように椀類用ピン４ａを傾斜させることにより、食器３をより低い位置で保持できるとともに、食器３のくわえ込みをより大きくすることができるので、食器３をより安定して保持することができる。
【産業上の利用可能性】
【００１９】
以上のように、本発明にかかる食器洗い機は、食器かごに配置収納する食器が効率的に配置収納でき洗浄することが可能となるので、食器かごを有した食器洗い機等として有用である。
【図面の簡単な説明】
【００２０】
【図１】本発明の実施の形態１の食器洗い機の食器かごの説明図
【図２】本発明の実施の形態２の食器洗い機の食器かごの説明図
【図３】本発明の実施の形態３の食器洗い機の食器かごの説明図
【図４】従来の食器洗い機の断面図
【図５】同食器洗い機の食器かごの説明図
【符号の説明】
【００２１】
１  洗浄槽
２  洗浄ノズル
３  食器
４  食器カゴ
４ａ  椀類用ピン
４ｂ  先端部
４ｃ  基部
４ｄ  条体
【図１】
2005230403.tif 000003
【図２】
2005230403.tif 000004
【図３】
2005230403.tif 000005
【図４】
2005230403.tif 000006
【図５】
2005230403.tif 000007